(57)【要約】【課題】垂木等の取付け側に容易にしかもしっかりと取り付けることができる金具、及び、バルコニー養生構造の提供。【解決手段】取付け側２に、該取付け側２を両側から挟んで掴んだ状態に取り付けられる掴み取付け式連結金具４であり、取付け側２を掴む掴み部品６と、掴み部品６に掴み力を付与するクサビ部品７と、掴み部品６にクサビ部品７で掴み力を付与する際の反力部となる反力部品８とを備え、前記クサビ部品７にフック９が連結され、該フック９に引っ張り力が付与されることにより、クサビ部品７が反力部品８を反力部として掴み部品６に掴み力を付与するようになされている。金具４には仮付け機構が備えられているとよい。該金具４によって例えばバルコニー養生シートが吊下げ状態に連結される。【選択図】      図１
2007092464.tif 000002
【特許請求の範囲】
【請求項１】
取付け側に、該取付け側を両側から挟んで掴んだ状態に取り付けられる掴み取付け式連結金具であって、
取付け側を掴む掴み部と、掴み部に掴み力を付与するクサビ部と、掴み部にクサビ部で掴み力を付与する際の反力部となる反力部とを備え、
前記クサビ部に他との連結部が連設され、該連結部に引っ張り力が付与されることにより、クサビ部が反力部を反力部として掴み部に掴み力を付与するようになされていることを特徴とする掴み取付け式連結金具。
【請求項２】
前記掴み部をクサビ部による掴み力の付与によらずに取付け側に仮付け状態にする仮付け機構が備えられている請求項１に記載の掴み取付け式連結金具。
【請求項３】
前記仮付け機構が、取付け側を両側から挟む掴み部の両側辺部のそれぞれに設けられた内向き突出の爪部を備え、掴み部をひねることにより、両爪部が取付け側に食い込んで掴み部を取付け側に仮付け状態にするようになされているものからなる請求項２に記載の掴み取付け式連結金具。
【請求項４】
請求項１乃至３のいずれか一に記載の掴み取付け式連結金具が屋根側の垂木に下から取り付けられ、該金具の連結部にバルコニー養生シートが吊下げ状態に連結されていることを特徴とするバルコニー養生構造。
【請求項５】
前記金具の連結部がフックからなり、該フックがバルコニー養生シートに設けられたハトメ部に引っ掛けられて該養生シートと連結されている請求項４に記載のバルコニー養生構造。
【請求項６】
前記バルコニー養生シートが横方向に複数枚備えられ、隣り合う養生シート間が防水チャックで閉じられている請求項５に記載のバルコニー養生構造。
【発明の詳細な説明】
【技術分野】
【０００１】
本発明は、掴み取付け式連結金具及びバルコニー養生構造に関する。
【背景技術】
【０００２】
例えば住宅用建物の建築において、バルコニーのＡＬＣ床板を雨水で濡らしてしまうのを防ぐことなどを目的として、図５に示すように、バネコニー５３を養生シート５１でカバーすることが行われるが、養生シート５１の取付けは、従来、作業者が屋根の上にのぼり、養生シート５１を屋根面５２に釘止めし、屋根から吊下げ状態にするというようにして行われていた。
【発明の開示】
【発明が解決しようとする課題】
【０００３】
しかしながら、屋根上の軒先付近での釘打ち作業は厄介であり、かつ、危険を伴う。また、養生シート５１を釘打ちで取り付けたのでは養生シート５１を釘で傷付けてしまうことになる。更に、養生シート５１の上縁部が屋根面５２の上に張り出すように取り付けたのでは、養生シート５１と屋根面５２との間を通じて雨水がバルコニー５３内に侵入してしまいやすい。
【０００４】
本発明は、取付け側に容易にしかもしっかりと取り付けることができる金具を提供すること、並びに、養生シートを屋根側に容易にしかもしっかりと取り付けることができ、養生シートを傷付けることがなく、養生シートと屋根側との間を通じたバルコニー内への雨水の侵入をなくすことができるバルコニー養生構造を提供することを課題とする。
【課題を解決するための手段】
【０００５】
上記の課題は、取付け側に、該取付け側を両側から挟んで掴んだ状態に取り付けられる掴み取付け式連結金具であって、
取付け側を掴む掴み部と、掴み部に掴み力を付与するクサビ部と、掴み部にクサビ部で掴み力を付与する際の反力部となる反力部とを備え、
前記クサビ部に他との連結部が連設され、該連結部に引っ張り力が付与されることにより、クサビ部が反力部を反力部として掴み部に掴み力を付与するようになされていることを特徴とする掴み取付け式連結金具によって解決される（第１発明）。
【０００６】
この金具では、取付け側への取付けは、取付け側を両側から挟むように掴み部をセットし、他との連結部に引っ張り力を付与すれば、クサビ部によって掴み部が取付け側を掴んだ状態となって取付け側に取り付けられ、取付け側への取付けを容易に行うことができる。そして、他との連結部に他を連結しても、連結部に押し力が作用しない限り、掴み部は取付け側を掴んだ状態を保って、外れてしまうことはなく、しっかりとした取付け状態を維持することができる。
【０００７】
上記の金具において、前記掴み部をクサビ部による掴み力の付与によらずに取付け側に仮付け状態にする仮付け機構が備えられているのもよい（第２発明）。
【０００８】
即ち、掴み部に取付け側を掴ませるには、普通の場合、一方の手で掴み部を支えながら、もう一方の手で連結部を引っ張るという操作を行うことになるが、仮付け機構が備えられている場合は、掴み部を仮付け機構によって取付け側に仮付け状態にしておくことによって、一方の手で掴み部を支えることなく、一方の手で連結部を引っ張るという操作を行うだけで、掴み部を本掴み状態にすることができ、金具を取付け側に容易に取り付けることができる。
【０００９】
特に、第２発明において、仮付け機構が、取付け側を両側から挟む掴み部の両側辺部のそれぞれに設けられた内向き突出の爪部を備え、掴み部をひねることにより、両爪部が取付け側に食い込んで掴み部を取付け側に仮付け状態にするようになされているものからなるとよい（第３発明）。
【００１０】
この場合は、金具を一方の手にもって、取付け側を挟むように掴み部の両側辺部を配置し、そのまま手首をひねらせれば掴み部がひねられて、爪部が取付け側に食い込み、掴み部が取付け側に仮付け状態になり、金具を取付け側に対して容易に仮付け状態にすることができる。
【００１１】
また、上記の課題は、第１乃至第３の発明の掴み取付け式連結金具が屋根側の垂木に下から取り付けられ、該金具の連結部にバルコニー養生シートが吊下げ状態に連結されていることを特徴とするバルコニー養生構造によって解決される（第４発明）。
【００１２】
このバルコニー養生構造では、屋根側への養生シートの取付けに上記の掴み取付け式連結金具を用いるものであるから、屋根側の垂木に金具を取り付け、該金具の連結部に養生シートを連結するだけでよく、養生シートを屋根側に容易に取り付けることができると共に、その取付け状態もしっかりとしたものにすることができる。しかも、金具を垂木に取り付けるようにしているから、養生シートの上縁部を屋根下に位置させることができ、養生シートと屋根側との間を通じたバルコニー内への雨水の侵入をなくすことができる。
【００１３】
上記のバルコニー養生構造において、金具の連結部がフックからなり、該フックがバルコニー養生シートに設けられたハトメ部に引っ掛けられて該養生シートと連結されているとよい（第５発明）。この場合は、養生シートが取付けのために傷付けられてしまうことがなく、養生シートの繰り返し使用可能回数を多くすることができる。
【００１４】
そして、第４発明のバルコニー養生構造において、バルコニー養生シートが横方向に複数枚備えられ、隣り合う養生シート間が防水チャックで閉じられているのもよい（第６発明）。この場合は、防水チャックの使用で隣り合う養生シート間を通じた雨水の侵入を防ぐことができ、しかも、防水チャックを使用するものでありながら、フックとハトメ部で養生シートが繰り返し使用可能であることとの組み合わせによって、防水チャック付き養生シートの使用コストを低く抑えることができる。
【発明の効果】
【００１５】
本発明の金具によれば、該金具を取付け側に容易にしかもしっかりと取り付けることができる。また、本発明のバルコニー養生構造によれば、養生シートを屋根側に容易にしかもしっかりと取り付けることができ、養生シートを傷付けることがなく、養生シートと屋根側との間を通じたバルコニー内への雨水の侵入をなくすことができ、防水チャック付きの養生シートの使用コストを低く抑えることができる。
【発明を実施するための最良の形態】
【００１６】
次に、本発明の実施最良形態を図面に基づいて説明する。
【００１７】
図１及び図２に示す第１実施形態は、バルコニー養生構造についてのもので、１はバルコニー、２は取付け側としての屋根の木製垂木、３は野地板、４は掴み取付け式連結金具、５はバルコニー養生シートである。
【００１８】
掴み取付け式連結金具４は、図１に示すように、垂木２の下方から該垂木２を両側から挟んで掴んだ状態にして取り付けられるもので、垂木２を掴む掴み部としての掴み部品６と、掴み部品６に掴み力を付与するクサビ部としてのクサビ部品７と、掴み部品６にクサビ部品７で掴み力を付与する際の反力部となる反力部としての反力部品８とを備えている。
【００１９】
反力部品８と掴み部品６はそれぞれ、正面視上向き開放のコの字形をした部品からなる。掴み部品６は、その各側辺部６ａ，６ａの先端に内向きに突出する食い込み用の爪部６ｃ，６ｃを備えると共に、中間辺側の半部が反力部品８内に突出し、中間辺側が反力部品８の中間辺部８ｂに連結されている。
【００２０】
クサビ部品７も、正面視上向き開放のコの字形をした部品からなっており、反力部品８に上下方向に相対変位可能に保持され、その中間辺部７ｂは、反力部品８の中間辺部８ｂよりも下に位置し、各側辺部７ａ，７ａは、中間辺部７ｂから上方に延ばされて掴み部品６と反力部品８の側辺部６ａ，８ａ；６ａ，８ａ間を通じてその上方に突出し、各先端にクサビ部７ｃ，７ｃが備えられ、クサビ部品７を反力部品８に対して下方に相対変位させることにより、各側辺部先端のクサビ部７ｃ，７ｃが掴み部品６と反力部品８の側辺部６ａ，８ａ；６ａ，８ａ間に進出し、掴み部品６の側辺部先端の爪部６ｃ，６ｃが反力部品８を反力部として内向きに動いて掴み動作を行うようになされている。
【００２１】
なお、掴み部品６は、コの字形をした１個の部品からなって、両側の側辺部をクサビ部品７で内向きに弾性変形させて掴み動作を行うようになされていてもよいし、一方の側辺部６ａを備えた部品と、もう一方の側辺部６ａを備えた部品の２個の部品を組み合わせたものからなって、各部品をクサビ部品７で内向きに変位させることで掴み動作を行うようになされたものであってもよい。
【００２２】
そして、クサビ部品７の中間辺部には、他との連結部としてのフック９が回転自在に連結されて、掴み取付け式連結金具４を構成している。
【００２３】
バルコニー養生シート５は、図２（ロ）に示すように、金具４のフック９に引っ掛けるためのハトメ部１０を備えると共に、側縁部に、隣り合う養生シート５，５同士を連結する防水チャック１１を備えたものからなっている。
【００２４】
養生シート５の取付けは、次のようにして行う。即ち、図２（イ）に示すように、まず、掴み取付け式連結金具４を垂木２に取り付ける。取付けは、図１（イ）（ロ）に示すように、垂木２の下方から金具４を上昇させ、垂木２を両側から挟むように掴み部品６をセットする。そして、一方の手で掴み部品６と反力部品８を支えながら、もう一方の手で、図１（ハ）に示すように、フック９を下方に引っ張る。すると、クサビ部品７のクサビ部７ｃ，７ｃが、掴み部品６と反力部品８の側辺部６ａ，８ａ；６ａ，８ａ間に進出し、掴み部品６の側辺部先端の爪部６ｃ，６ｃが、反力部品８を反力部として内向きに動き、垂木２を食い込むように掴んで取り付けられる。
【００２５】
しかる後、図２（ロ）に示すように、金具４のフック９を養生シート５のハトメ部１０に差し込んで、養生シート５を、図２（ハ）に示すように、バルコニー１を覆うように吊下げ状態にし、隣り合う養生シート５，５の防水チャック１１を閉じる。養生シート５が吊下げ状態にされることにより、各金具４のフック９には下向きの引張り力が作用し、クサビ部品７のクサビ部７ｃ，７ｃが、掴み部品６と反力部品８の側辺部６ａ，８ａ；６ａ，８ａ間に強く進出し、しっかりとした取付け状態を維持することができる。
【００２６】
こうして、養生シート５でカバーされたバルコニー１では、養生シート５が、野地板３の下の垂木に取り付けられた金具４に連結されて吊下げ状態にされていることで、雨水が養生シート５と野地板３との間を通じて侵入することもないし、隣り合う養生シート５，５同士は防水チャック１１で閉じられているので、雨水が養生シート５，５間を通じて侵入することもない。
【００２７】
また、養生シート５の取外しは、養生シート５を金具４のフック９から外せばよく、また、金具４も、フック９を上昇させれば、クサビ部品７が上昇し、掴み部品６に与えられていた掴み力が解除されて、垂木２から取り外すことができる。
【００２８】
このように、上記の金具４を用いることで、垂木２に対する金具４の取付けを容易でしっかりとしたものにすることができると共に、金具４への養生シート５の連結も、フック９とハトメ部１０を利用して容易に行うことができ、また、養生シート５の取外しも、金具４の取外しも容易に行うことができる。
【００２９】
図３及び図４は、掴み取付け式連結金具の第２実施形態を示す。本実施形態の金具４では、反力部用の外側側辺部１２ａ，１２ａと、掴み用の内側側辺部１２ｂ，１２ｂと、中間辺部１２ｃとを備えた一体品からなる部品１２が用いられており、掴み用の内側側辺部１２ｂ，１２ｂが、クサビ部品７で内向きに弾性変形をすることによって掴み動作を行うようになされている。
【００３０】
また、掴み用の内側側辺部１２ｂ，１２ｂは、板状をしていて、一方の内側側辺部１２ｂの先端部の幅方向の一方の側に内向きの尖り状爪部１２ｄが設けられると共に、もう一方の内側側辺部１２ｂの先端部の幅方向のもう一方の側に内向きの尖り状爪部１２ｄが備えられ、これら尖り状爪部１２ｄ，１２ｄが仮付け機構を構成している。
【００３１】
この金具４では、該金具４を一方の手にもって、図４（イ）に示すように、掴み用の内側側辺部１２ｂ，１２ｂで垂木２を両側から挟むように配置し、そのまま、手首をひねらせれば、図４（ロ）に示すように、掴み部用の内側側辺部１２ｂ，１２ｂもひねられて、爪部１２ｄ，１２ｄが垂木２の側面部に食い込み、内側側辺部１２ｂ，１２ｂ、ひいては、金具４が垂木２に対して仮付け状態になる。そして、同じ手で、図４（ハ）に示すように、フック９を下方に引けば、クサビ部品７のクサビ部７ｃ，７ｃが、掴み用の内側側辺部１２ｂと反力用の外側側辺部１２ａとの間に進出し、図４（ハ）（ニ）に示すように爪部１２ｄ，１２ｄが垂木２により深く食い込んでしっかりとした本掴み状態が形成される。
【００３２】
なお、１３は共回り用のピン突起で、仮止め時に部品１２とクサビ部品７とを共回りさせるものである。１４は抜止め部で、下方への引張り時にクサビ部品７が下方に過剰移動してしまうのを阻止するものである。
【００３３】
このように、金具４に仮付け機構を備えさせ、金具４を垂木２に仮付け状態にしておくことができることにより、一方の手を使うことなく、もう一方の手だけでクサビ部品７を下方に引っ張るという操作を行えば、金具４を垂木２に対して本掴み状態にすることができ、垂木２への金具４の取付けを容易に行うことができる。特に、本実施形態では、金具４を片手にもって、垂木２を挟むように掴み用両側辺部１２ｂ，１２ｂを配置し、そのまま手首をひねれば、掴み用両側辺部１２ｂ，１２ｂがひねられて、爪部１２ｄ，１２ｄが垂木２の側面部に食い込んで金具４が垂木２に仮付け状態になるので、垂木２への金具４の仮付けも容易に行うことができる。
【００３４】
なお、第１実施形態の金具４において、掴み部品６が、コの字形をした１個の部品からなって、両側の側辺部をクサビ部品７で内向きに弾性変形させて掴み動作を行うようになされていている場合には、爪部６ｃ，６ｃを仮止め機構とし、第２実施形態の金具の場合と同様に、掴み部品６をひねって、両爪部６ｃ，６ｃを垂木２の側面部に食い込ませて仮付け状態にすることができるようになされていてもよい。その場合の爪部６ｃ，６ｃの形態や位置については、制限はなく、第２実施形態の金具４の爪部１２ｄ，１２ｄについても同様で、ひねることによって仮止め状態にすることができる態様で備えられていればよい。
【００３５】
以上に、本発明の実施形態を示したが、本発明はこれに限られるものではなく、発明思想を逸脱しない範囲で各種の変更が可能である。例えば、上記の第２実施形態では、仮付け機構として、部品１２の掴み用の内側側辺部１２ｂ，１２ｂのそれぞれに設けられた爪部１２ｄ，１２ｄを仮付け機構とし、ひねることによって両爪部１２ｄ，１２ｄを垂木２に食い込ませて仮付け状態にする構成のものを採用した場合を示したが、仮付け機構は、掴み部分をクサビによる掴み力の付与によらずに垂木２に仮付け状態にすることができるものであればよく、掴み部分に取付け側を掴ませた状態に仮付けされたものであってもよいし、掴み部分が取付け側を挟んだ配置状態（取付け側と接触しているか否かは問わない）に仮付けされるようになされているものであってもよい。
【００３６】
また、仮付け機構の他の例として、第１実施形態の金具４において、掴み部品６がコの字形をした１個の部品からなって、両側の側辺部をクサビ部品７で内向きに弾性変形させて掴み動作を行うようになされている場合には、該掴み部品６の爪部６ｃ，６ｃの先端間の間隔寸法を垂木２の幅寸法よりも小さくし、垂木２を掴み部品６の両側辺部６ａ，６ａの爪部６ｃ，６ｃで弾力的に挟み込むようにしたものであってもよく、爪部の有無は問わない。第２実施形態の金具４についても同様である。
【００３７】
また、更に他の例として、第１実施形態の金具４において、掴み部品６が、一方の側辺部６ａを備えた部品と、もう一方の側辺部６ａを備えた部品の２個の部品を組み合わせたものからなって、各部品をクサビ部品７で内向きに変位させることで掴み動作を行うようになされたものである場合においては、仮付け機構は、これら両部品を接近離反操作するための機構と、接近状態において両部品が離反するのを阻止する解除可能なストッパー機構とを備えたものからなっているのもよく、その具体的構成に制限はない。
【００３８】
また、上記の実施形態では、掴み取付け式連結金具４の構成部分である掴み部、反力部、クサビ部として、特定の形態のものを採用した場合を示したが、これらの具体的形態に制限はなく、各種の形態をしていてよい。掴み部は掴んで取付け側に取り付くことができるものであればよく、爪部の有無は問わない。
【００３９】
更に、上記の実施形態では、掴み取付け式連結金具４をバルコニー用養生シート５を取り付けるのに用いた場合を示したが、本発明の掴み取付け式連結金具は、その他の各種シートや、その他の各種物の取付けに広く用いることができるものであり、また、取付け側も垂木２に限らず、各種の取付け側であってよい。
【図面の簡単な説明】
【００４０】
【図１】図（イ）〜図（ハ）は第１実施形態の金具の構造と垂木への取付け方法を順次に示す正面図である。
【図２】図（イ）は金具の取付け状態を示す側面図、図（ロ）は金具への養生シートの取付け方法を示す斜視図、図（ハ）はバルコニーに対する養生シートの取付け状態を示す斜視図である。
【図３】第２実施形態の掴み取付け式連結金具を示すもので、図（イ）は断面正面図、図（ロ）は図（イ）のＩ−Ｉ線断面矢視図、図（ハ）は分解斜視図である。
【図４】図（イ）〜図（ニ）は、金具の取付け方法を順次に示す断面平面図、断面正面図である。
【図５】バルコニーに対する養生シートの従来の取付け方法を示す斜視図である。
【符号の説明】
【００４１】
１…バルコニー
２…垂木（取付け側）
４…掴み取付け式連結金具
５…養生シート
６…掴み部品（掴み部）
７…クサビ部品（クサビ部）
８…反力部品（反力部）
９…フック（連結部）
１０…ハトメ部
１１…防水チャック
１２…部品（掴み部、反力部）
１２ｄ…爪部（仮止め機構）
【図１】
2007092464.tif 000003
【図２】
2007092464.tif 000004
【図３】
2007092464.tif 000005
【図４】
2007092464.tif 000006
【図５】
2007092464.tif 000007